(57)【要約】  発光装置アッセンブリが、波長変換装置（２２０）、駆動装置（２３０）及びアダプタ（２４０）を具える。波長変換装置（２２０）は、少なくとも１の波長変換領域を有する波長変換層（２２２）を具えており、波長変換領域を使用して励起光を受光し、励起光に励起光を変換する。駆動装置（２３０）が、波長変換装置（２２０）を駆動して移動させるよう使用される駆動面を具えており、励起光により波長変換装置（２２０）に形成される光点を、所定の経路に沿って波長変換装置（２２０）に作用させる。アダプタ（２４０）を使用して、駆動装置（２３０）及び波長変換装置（２２０）を同軸に結合し、光線が、駆動装置（２３０）に面する波長変換装置（２２０）の面から駆動面の内側において波長変換装置（２２０）に到達し得る。駆動面及び波長変換層（２２２）は、軸方向投影の投影面に沿って少なくとも部分的に重なり合う。発光装置アッセンブリを有する投影システムがさらに開示されている。発光装置アッセンブリは、薄くするのを要する製品に適用可能である。【選択図】図２ａ
2015513762.tif 000002
【特許請求の範囲】
【請求項１】
発光装置であって、
励起光を放射するための励起光の光源と、
少なくとも１の波長変換セクションを有する波長変換層を有する波長変換装置であって、前記波長変換セクションが励起光を受光し変換光に励起光を変換する、波長変換装置と、
前記波長変換装置を駆動して移動させるための駆動面を有する駆動装置であって、前記波長変換装置に形成される励起光の光点が所定の経路に沿って前記波長変換装置に作用する、駆動装置と、
前記駆動装置及び前記波長変換装置を同軸に結合するためのアダプタであって、光線が前記駆動装置に面する側から前記駆動面の内側において前記波長変換装置を照射し得る、アダプタと、
を具えており、
前記駆動面及び前記波長変換層のそれぞれの軸方向の投影が、少なくとも部分的に重なり合い、
励起光が前記駆動面の内側において前記波長変換層を照射することを特徴とする発光装置。
【請求項２】
前記波長変換装置が円板状を有しており、
前記駆動装置が、前記アダプタを介して前記波長変換装置を駆動し、前記円板の中心の周りを回転させることを特徴とする請求項１に記載の発光装置。
【請求項３】
前記アダプタが、前記駆動面よりも小さい端面を具えた円筒状を有する結合セクションを有することを特徴とする請求項１に記載の発光装置。
【請求項４】
前記アダプタが、さらに、前記駆動装置及び前記結合セクションにそれぞれ取り付けられた両端部を有する適合セクションを有しており、
前記結合セクションの前記端面が、前記適合セクションの断面よりも小さいことを特徴とする請求項３に記載の発光装置。
【請求項５】
前記アダプタが、さらに、前記波長変換装置及び前記結合セクションにそれぞれ取り付けられた両端部を有する支持セクションを有しており、
前記結合セクションの前記端面が、前記支持セクションの断面よりも小さいことを特徴とする請求項３に記載の発光装置。
【請求項６】
前記アダプタが、正角錐台又は円錐台の形状を有しており、
前記アダプタの上端面及び下端面が、前記波長変換装置及び前記駆動装置にそれぞれ取り付けられており、
前記上端面が、前記駆動面よりも小さいことを特徴とする請求項１に記載の発光装置。
【請求項７】
励起光が、前記波長変換装置の前記駆動装置に面する側から斜角で前記波長変換装置に入射することを特徴とする請求項１乃至６のいずれか１項に記載の発光装置。
【請求項８】
前記アダプタが、正角錐台又は円錐台の形状を有しており、
前記アダプタの上端面及び下端面が、前記波長変換装置及び前記駆動装置にそれぞれ取り付けられており、
前記上端面が、前記駆動面よりも小さく、
励起光と前記上端面との間の角度が、前記アダプタの側面生成ライン又は側端と前記上端面との間の角度に等しいことを特徴とする請求項７に記載の発光装置。
【請求項９】
さらに、前記波長変換層に入射するよう励起光を案内するための光分離装置であって、前記波長変換層からの光の一部を前記波長変換層への入射励起光の光路から分離するよう案内し、前記発光装置の出力光を形成するための光分離装置を具えることを特徴とする請求項７に記載の発光装置。
【請求項１０】
さらに、励起光が前記波長変換装置の前記駆動装置に面する側から直角に前記波長変換層に入射するように、励起光を反射させるための反射体を具えることを特徴とする請求項１乃至６のいずれか１項に記載の発光装置。
【請求項１１】
発光装置アッセンブリであって、
少なくとも１の波長変換セクションを有する波長変換層を有する波長変換装置であって、前記波長変換セクションが励起光を受光し変換光に励起光を変換する、波長変換装置と、
前記波長変換装置を駆動して移動させるための駆動面を有する駆動装置であって、前記波長変換装置に形成される励起光の光点が所定の経路に沿って前記波長変換装置に作用する、駆動装置と、
前記駆動装置及び前記波長変換装置を同軸に結合するためのアダプタであって、光線が前記駆動装置に面する側から前記駆動面の内側において前記波長変換装置を照射し得る、アダプタと、
を具えており、
前記駆動面及び前記波長変換層のそれぞれの軸方向の投影が、少なくとも部分的に重なり合うことを特徴とする発光装置アッセンブリ。
【請求項１２】
前記アダプタが、正角錐台又は円錐台の形状を有しており、
前記アダプタの上端面及び下端面が、前記駆動装置及び前記波長変換装置にそれぞれ取り付けられており、
前記上端面が、前記駆動面よりも小さいことを特徴とする請求項１１に記載の発光装置アッセンブリ。
【請求項１３】
請求項１乃至１０のいずれか１項に記載された発光装置を具えることを特徴とする投影システム。
【発明の詳細な説明】
【技術分野】
【０００１】
本発明は、照明及びディスプレイの分野に関し、特に、発光装置、発光装置アッセンブリ及び関連する投影システムに関するものである。
【背景技術】
【０００２】
従来の蛍光環は、透過型及び反射型の色相環を有している。蛍光環は、蛍光材料を反射性の基板に付けることによって形成される；蛍光材料に照射された励起光が変換光に変換され、反射性の基板によって反射する。このため、蛍光環の出力変換光の方向は、蛍光環に照射する励起光の方向とは逆方向である。換言すれば、出力側及び入力側は、蛍光環の同じ側である。透過型の蛍光環は、透明基板に蛍光材料を付けることによって形成される；蛍光材料に照射される励起光が変換光に変換され、透明基板を通り抜ける。一般に、励起光を通し変換光を反射させるフィルタが、蛍光環の入力側に設けられている。このため、蛍光環の出力変換光の方向は、蛍光環に照射される励起光の方向と同じである。換言すれば、出力側及び入力側は、蛍光環の２つの異なる側である。
【０００３】
図１ａ及び図１ｂを参照すると；図１ａは、従来の蛍光環の側面図であり、図１ｂは、図１ａの蛍光環の波長変換装置の平面図である。図１ａ及び図１ｂに示すように、蛍光環は、蛍光材料を含む波長変換装置１０及びモータ２０を有する。波長変換装置１０は、積層された基板１１及び波長変換装置１２を有しており、基板は、モータ２０に直接的に接触する。基板に直接的に接触するモータ２０の表面は、モータの駆動面である。基板は円板状を有しており、波長変換装置１０を駆動して円板の中心の周りに回転させるためのモータ２０は、円板と同軸の円筒形を有する。波長変換装置１２は、基板と同軸のリング状を有している；蛍光材料の少なくとも一方のタイプが、励起光Ａを受光しそれを変換光Ｂに変換するためにリング状となっている。
【０００４】
従来の蛍光環を研究することによって、本発明者は、蛍光環が透過型の場合、励起光が波長変換層を通過し得るために、波長変換層１２の内径がモータの駆動面の半径よりも大きく、波長変換装置の面積がモータの駆動面の面積及び波長変換層１２の面積の合計よりも大きくなければならないことを発見した。同様に、反射型の蛍光環を使用し、励起光が波長変換装置のモータに面する側から波長変換装置を照射する場合、波長変換装置１０の面積は、モータの駆動面の面積及び波長変換層１２の面積の合計よりも大きくなければならない。波長変換装置１０の面積がモータの駆動面の面積及び波長変換層１２の面積の合計よりも大きいため、比較的厚さの薄いことを要する製品でこのような蛍光環を使用することが困難であることが分かる。
【発明の概要】
【０００５】
本発明によって解決される主要な技術的課題は、発光装置、発光装置アッセンブリ、及び関連する投影システムを提供することであり、発光装置アッセンブリが蛍光環であり、蛍光環の波長変換装置の面積が、上述した合計よりも小さい。
【０００６】
本発明の実施例は、発光装置であって、
励起光を放射するための励起光の光源と、
少なくとも１の波長変換セクションを有する波長変換層を有する波長変換装置であって、前記波長変換セクションが励起光を受光し変換光に励起光を変換する、波長変換装置と、
前記波長変換装置を駆動して移動させるための駆動面を有する駆動装置であって、前記波長変換装置に形成される励起光の光点が所定の経路に沿って前記波長変換装置に作用する、駆動装置と、
前記駆動装置及び前記波長変換装置を同軸に結合するためのアダプタであって、光線が前記駆動装置に面する側から前記駆動面の内側において前記波長変換装置を照射し得る、アダプタと、
を具えており、
前記駆動面及び前記波長変換層のそれぞれの軸方向の投影が、少なくとも部分的に重なり合い、
励起光が前記駆動面の内側において前記波長変換層を照射する、
発光装置を提供する。
【０００７】
本発明の別の実施例は、発光装置アッセンブリであって、
少なくとも１の波長変換セクションを有する波長変換層を有する波長変換装置であって、前記波長変換セクションが励起光を受光し変換光に励起光を変換する、波長変換装置と、
前記波長変換装置を駆動して移動させるための駆動面を有する駆動装置であって、前記波長変換装置に形成される励起光の光点が所定の経路に沿って前記波長変換装置に作用する、駆動装置と、
前記駆動装置及び前記波長変換装置を同軸に結合するためのアダプタであって、光線が前記駆動装置に面する側から前記駆動面の内側において前記波長変換装置を照射し得る、アダプタと、
を具えており、
前記駆動面及び前記波長変換層のそれぞれの軸方向の投影が、少なくとも部分的に重なり合う、
発光装置アッセンブリを提供する。
【０００８】
本発明の別の実施例は、上記の発光装置を有する投影システムを提供する。
【０００９】
従来技術と比較すると、本発明は、以下の効果を有する：
本発明の実施例に係る発光装置によれば、アダプタを使用することにより、励起光が、駆動装置によって遮られることなく、駆動面の内側において波長変換装置を照射し得る；さらに、駆動装置の駆動面及び波長変換層の軸方向の投影を少なくとも部分的に重ねることによって、波長変換装置の面積が、駆動面の面積及び波長変換層の面積の合計よりも小さくなる場合、励起光が、駆動装置によって遮られることなく駆動面の内側において波長変換層を照射し得る。従来技術と比較すると、本発明の実施例に係る発光装置アッセンブリの波長変換装置が、表面積を小さくできる効果を有しており、比較的薄い厚さを要する製品に発光装置アッセンブリを使用できる。
【図面の簡単な説明】
【００１０】
【図１ａ】図１ａは、従来技術に係る蛍光環の側面図である。
【図１ｂ】図１ｂは、図１ａの蛍光環の波長変換装置の平面図である。
【図２ａ】図２ａは、本発明の一実施例に係る発光装置の構造を示す。
【図２ｂ】図２ｂは、図２ａの実施例の波長変換装置の側面図である。
【図３】図３は、本発明の別の実施例に係る発光装置の構造を示す。
【図４】図４は、本発明の別の実施例に係る発光装置の構造を示す。
【図５】図５は、本発明の別の実施例に係る発光装置の構造を示す。
【図６】図６は、本発明の別の実施例に係る発光装置の構造を示す。
【図７】図７は、本発明の別の実施例に係る発光装置の構造を示す。
【発明を実施するための形態】
【００１１】
本発明の実施例を図面を参照して以下で詳細に説明する。
【００１２】
第１実施例
図２ａ及び図２ｂを参照すると、図２ａは、本発明の一実施例に係る発光装置の構造を示しており、図２ｂは、図２ａの実施例の波長変換装置の側面図である。図２ａに示すように、発光装置２００は、励起光の光源２１０、波長変換装置２２０、駆動装置２３０及びアダプタ２４０を有する。
【００１３】
励起光の光源２１０を使用して、励起光を生成する。励起光の光源２１０は、好適には、レーザダイオード、発光ダイオード又は他の半導体光源である。本実施例では、励起光の光源２１０が、青色光を生成するレーザダイオードである。
【００１４】
波長変換装置２２０は、積層された基板２２１及び波長変換層２２２を有する。基板及び波長変換層を、接着剤を用いた結合を含む多くの方法で取り付け得る。図２ｂに示すように、基板２２１は円板状を有しており、波長変換層２２２は基板と同軸のリング状を有しており、リングの外径は好適には基板の直径に等しい。
【００１５】
波長変換層２２２は、少なくとも１の波長変換セクションであって、励起光を受光し励起光を変換光に変換する波長変換セクションを有する。特に、波長変換層２２２は、基板の周方向に配置された第１のサブセクション２２２ａ、第２のサブセクション２２２ｂ及び第３のサブセクション２２２ｃを有する。第１、第２及び第３のサブセクションは、それぞれ、青色光を赤色光に変換するための赤色波長変換材料、青色光を緑色光に変換するための緑色波長変換材料、及び青色光を透過させてコヒーレンスを無くす散乱材料を担持する。一般的な波長変換材料は、青色光を吸収して黄色の変換光を放射し得るＹＡＧ蛍光体といった蛍光体である。また、波長変換材料は蛍光体に限定されず、波長変換機能を有する量子ドット、蛍光染料及び他の材料とすることができる。
【００１６】
他の実施例では、波長変換層が、１つのサブセクションのみを有すること、又は複数のサブセクションを有すること；波長変換層の様々なサブセクションが、放射分布又他の空間分布を有することが容易に理解できる。波長変換層の様々なサブセクションは、総て波長変換材料を担持し得る。波長変換装置については、基板２２１を使用して波長変換層を担持するが；波長変換層自体が十分に剛性を有する場合（例えば、透明なガラス材料に蛍光体粉末を混ぜ入れることによって、波長変換層を形成する場合）には、基板２２１を省くことができることに留意すべきである。
【００１７】
駆動装置２３０は、具体的には、円筒状を有するモータである。アダプタ２４０を使用して、駆動装置２３０及び波長変換装置２２０を同軸に結合する。これら３つの構成要素の共通軸をＳとする。駆動装置は、駆動装置がアダプタに結合される面に関する駆動面を有する。駆動装置は、アダプタを介して波長変換装置を駆動し、基板の中心Ｏ（図示せず）を中心として回転させ、波長変換装置に形成される励起光の光点が、環状経路に沿って波長変換装置に作用する。このため、波長変換層２２２の３つのサブセクションが、励起光の照射領域に順次入り、波長変換層２２２が赤色、緑色及び青色光の光シーケンスを順次放射する。
【００１８】
本実施例では、アダプタ２４０が棒状の結合セクションを有し；結合セクションの両端がそれぞれ駆動装置２３０及び波長変換装置２２０の基板２２１に同軸に取り付けられている。ここでは、接着剤による結合、半田接合等といった様々な方法を使用してこれらを取り付けることができる。結合セクションの端面は、駆動装置の駆動面よりも小さい。好適には、駆動装置の駆動面に対する結合セクションの端面の面積の比が、１／４よりも大きく１／２よりも小さい。結合セクションの端面がモータの駆動面よりも小さいため、駆動装置２３０と波長変換装置２２０との間に光が通過し得る隙間が生じる。このため、光が、駆動装置に面する側から駆動面の内側において波長変換装置２２０を照射し得る。例えば、駆動装置の駆動面が１ｃｍの半径を有する場合、アダプタにより、光が駆動装置に面する側から点Ｏを中心とする半径１ｃｍの円形領域の内側において波長変換装置２２０を照射し得る。
【００１９】
本実施例では、アダプタを使用することによって、励起光Ａが、駆動装置によって遮られずに駆動面の内側において波長変換装置を照射し得る。さらに、駆動装置２３０の駆動面及び波長変換層２２２のそれぞれの軸方向投影を少なくとも部分的に重ねることによって、波長変換装置の面積を駆動面の面積と波長変換層の面積との合計よりも小さくすることができ、励起光Ａが、駆動装置によって遮られずに駆動面の内側において波長変換層を依然として照射し得る。従来技術と比較すると、本実施例の波長変換装置は、表面積が小さいという効果を有する。
【００２０】
好適には、波長変換装置２２０の面積は、駆動装置の駆動面の面積に等しく；このケースの場合、軸Ｓに沿った駆動装置２３０の駆動面の投影が、軸Ｓに沿った波長変換装層２２２の投影をカバーする。これにより、アッセンブリの製造が容易となり、製品の外観を改善する。当然ながら、波長変換装置２２０の面積は、駆動装置の駆動面の面積よりも小さく又は大きくすることもできる。
【００２１】
本実施例では、励起光の光源２１０からの青色光Ａが、波長変換装置の駆動装置に面する側から駆動面の内側において斜角で基板２２１に入射する。そして、励起光が基板２２１から波長変換層２２２に入る。波長変換層２２２は青色光を受光し、赤色、緑色及び青色光のカラー光シーケンスＢを順次放射する。波長変換層の光出力方向は光入力方向と同じであり、波長変換装置２２０は透過型である。好適には、基板２２１が、波長変換装置２２０の光の出力比を増大させるために、励起光を透過し変換光を反射する光学的特性を有する。波長変換装置が透過型の場合、励起光の光源２１０からの青色光Ａは、駆動装置とは反対側からも駆動面の内側において波長変換装置に入射でき；カラーの光シーケンスＢが駆動装置に面する波長変換装置の表面から出力し得ることが理解できよう。当然ながら、波長変換装置を反射型とすることができ、以下の実施例で説明することとし、ここでは詳細に説明しない。
【００２２】
さらに、発光装置はまた、波長変換層から出力光を集光するための集光装置（図示せず）を有する。この態様も、以下で説明する他の実施例で使用できる。集光装置は、ライトスムージングロッドといったライトスムージング又はシェイピング機能を有する光デバイスとすることができる。
【００２３】
第２実施例
本発明の別の実施例に係る発光装置の構造を示す、図３を参照する。図３に示すように、発光装置３００は、励起光の光源３１０、波長変換装置３２０、駆動装置３３０、及びアダプタ３４０を有する。波長変換装置３２０は、積層された基板３２１及び波長変換層３２２を有する。
【００２４】
本実施例と図２ａの実施例との間の差異は、アダプタ３４０が円錐台の形状を有しており、その上端３４０ａが波長変換装置３２０に取り付けられ、その下端３４０ｂが駆動装置３３０に取り付けられていることである。上端３４０ａは、駆動装置の駆動面よりも小さく、光が、駆動面の内側における波長変換装置３２０の駆動装置に面する表面を照射し得る。
【００２５】
好適には、アダプタの下端３４０ｂが、駆動装置の駆動面と完全に重なり合い、アダプタと駆動装置との間のより確実な結合を実現する。好適には、励起光の光源３１０からの青色光が、波長変換装置の駆動装置に面する側から駆動面の内側において斜角で波長変換装置３２０に入射する。励起光Ａと駆動面との間の角度が、アダプタ３４０の側面生成ラインと駆動面との間の角度に等しい。これにより、波長変換装置ができる限り小さくなる一方、波長変換装置への励起光の入射角を確実に最小限にし得る。
【００２６】
図２ａに示す実施例と比較して、アダプタが円錐台であるため、波長変換装置がより良好な運動バランスを有する。別の実施例では、円錐台の形状のアダプタの上端及び下端を、それぞれ駆動装置及び波長変換装置に取り付け得ることが容易に理解できよう。
【００２７】
当然ながら他の好適な実施例では、アダプタ３４０を正角錐台に代えることができる。同様に、好適には、角錐台の形状のアダプタの上端及び下端が、それぞれ波長変換装置及び駆動装置に取り付けられる。好適には、励起光の光源３１０からの青色光が、波長変換装置の駆動装置に面する側から駆動面の内側において斜角で基板２２１に入射し、励起光Ａと駆動面との間の角度が、アダプタ３４０の側端とその表面との間の角度に等しい。
【００２８】
第３実施例
本発明の別の実施例に係る発光装置の構造を示す、図４を参照する。図４に示すように、発光装置４００が、励起光の光源４１０、波長変換装置４２０、駆動装置４３０、及びアダプタ４４０を有する。波長変換装置４２０は、積層された基板４２１及び波長変換層４２２を有する。
【００２９】
本実施例と図２ａの実施例との間の差異は、発光装置４００が、励起光の光源４３０からの励起光を反射するための反射体４５０を追加的に有しており、励起光が波長変換装置４２０の駆動装置に面する側から直角的に波長変換層４２２に入射することである。明らかに、反射体は、駆動装置、アダプタ及び波長変換装置によって囲まれる空間に配置されるべきものである。反射体４５０は、励起光を反射させ他の光等を透過する反射鏡、プリズム、フィルタとし得る。励起光の光路を変える任意の光学素子を使用し得るが、ここでは詳細に説明しない。
【００３０】
図２ａの実施例と比較すると、本実施例では、反射体を用いて励起光の光源４１０によって生成される光入力の光路を変えることによって、励起光の光源４１０を、駆動装置の駆動面の領域にできる限り接近させて配置させることができ、駆動装置の駆動面の内側に配置させることもでき、発光装置４００がよりコンパクトな構造を有する。
【００３１】
第４実施例
本発明の別の実施例に係る発光装置の構造を示す、図５を参照する。図５に示すように、発光装置５００は、励起光の光源５１０、波長変換装置５２０、駆動装置５３０、及びアダプタ５４０を有する。波長変換装置５２０は、積層された基板５２１及び波長変換層５２２を有する。
【００３２】
本実施例と図４の実施例との間の差異は、本実施例のアダプタ５４０が、適合セクション５４１、結合セクション５４２及び支持セクション５４３を有することである。具体的には、適合セクション５４１、結合セクション５４２及び支持セクション５４３は、総て円筒状である。適合セクション５４１の両端が、それぞれ駆動装置及び結合セクション５４２に取り付けられており、支持セクション５４３の両端が、結合セクション５４２及び基板５２１にそれぞれ取り付けられている。結合セクション５４２の端面は、適合セクション５４１の端面よりも小さく、また、支持セクション５４３の端面よりも小さいため、波長変換装置が良好な運動バランスを有する。好適には、適合セクションが駆動装置の駆動面と完全に重なり合い、支持セクションの端面が、適合セクションの端面よりも小さい；換言すれば、アダプタ５４０がＨ形を有しており、波長変換装置の運動バランスをさらに改善する。さらに、好適には、適合セクション５４１、結合セクション５４２及び支持セクション５４３を有するアダプタが、１つの部品として一体的に形成される。
【００３３】
結合セクションの端面が適合セクション及び支持セクションの様々な断面よりも小さい限り、適合セクション及び支持セクションが、円錐台又は正角錐台といった他の形状も有し得ることが容易に理解されよう。さらに、適合セクション５４１、結合セクション５４２及び支持セクション５４３を有するアダプタを、互いに固定結合された３つの別個の部品で形成できる。当然ながら、適合セクション又は支持セクションのいずれかを、図４の実施例に対して追加的に採用でき、波長変換装置の運動バランスを十分に改善する；すなわち、適合セクション又は支持セクションを使用することを要しない。
【００３４】
第５実施例
本発明の別の実施例に係る発光装置の構造を示す、図６を参照する。図６に示すように、発光装置６００は、励起光の光源６１０、波長変換装置６２０、駆動装置６３０、及びアダプタ６４０、及び反射体６５０を有する。波長変換装置６２０は、積層された基板６２１及び波長変換層６２２を有する。
【００３５】
本実施例と図５の実施例との間の差異は、
（１）励起光の光源６１０によって放射される励起光が、紫外線（ＵＶ）であることである。
（２）波長変換装置６２０が、反射型であること；具体的には、波長変換層６２２が、駆動装置に面する基板６２１の表面に配置されていること、基板６２１が反射体であることである。さらに、波長変換層６２２の第１、第２及び第３の基板が、それぞれ、赤色光にＵＶ光を変換するための赤色用の波長変換材料、緑色光にＵＶ光を変換するための緑色用の波長変換材料、青色光にＵＶ光を変換するための青色用の波長変換材料を担持する。波長変換装置６２０が、ＵＶ光の励起下で、残りの非吸収ＵＶ光とともに、赤色、緑色及び青色光を放射することが見られる。
（３）発光装置６００が、さらに、波長変換層に入射する反射体によって反射した励起光Ａを案内するための、且つ、波長変換層６１２から放射される変換光を案内して、波長変換層への入射励起光の光路から分離し、これにより、発光装置の出力光を形成するための光分離装置６６０を有することである。具体的には、光分離装置６６０が、ＵＶ光を透過し赤色、緑色及び青色光を反射するフィルタである。
【００３６】
波長変換層６２２が十分な剛性を有し、波長変換層によって生成する変換光がそれを貫いて入射励起光の方向に出ないような厚さを有する場合、基板６２１を省略し得る。
【００３７】
図５の実施例では、励起光の光源がＳ軸と垂直な方向に配置されており、出力光を集光する集光装置をＳ軸と平行な方向に配置する必要があり；発光装置の大きさが両軸方向に増加する。これに対し、本実施例では、波長変換装置６２０が反射型であるため、励起光の光源及び出力光を集光する集光装置は、いずれも、Ｓ軸と直交する方向に配置でき、発光装置の大きさが一方の軸方向にのみ増加する。結果として、発光装置６００が、よりコンパクトな構造を有し得る。
【００３８】
第６実施例
本発明の別の実施例に係る発光装置の構造を示す、図７を参照する。図７に示すように、発光装置７００は、励起光の光源７１０、波長変換装置７２０、駆動装置７３０、及びアダプタ７４０、反射体７５０、及び光分離装置７６０を有する。波長変換装置７２０は、積層された基板７２１及び波長変換層７２２を有する。
【００３９】
本実施例と図６の実施例との間の差異は、
（１）励起光の光源によって放射される励起光が、青色光であることである。
（２）波長変換層７２２の第１、第２及び第３のサブセクションが、それぞれ、赤色光にＵＶ光を変換するための赤色の波長変換材料、緑色光にＵＶ光を変換するための緑色の波長変換材料、及び散乱材料を担持することである。
（３）光分離装置７６０は、光透過開口及び開口の周りに反射面を有するアーチ形の反射体であることである。青色光Ａは開口を通して波長変換層に入射する。波長変換層によって放射される光の大部分は、アーチ形の反射体の反射面によって反射し、発光装置７００の出力光となる；光のわずかな部分が、開口から漏れ出る。好適には、アーチ形の反射体７６０が楕円体又はその一部の形状を有し、波長変換層が楕円体の１つの焦点位置に位置しており、波長変換層の出力光の大部分が、アーチ形の反射体の反射面によって他方の焦点に向けて反射する。又は、アーチ形の反射体７６０が半球又はその一部の形状を有し、波長変換層が、球の中心の近くの点に位置しており、波長変換層の出力光の大部分が、アーチ形の反射体の反射面によって、球の中心に対して第１の点とは対称的な点に向けて反射し、そこで集光される。光分離装置は、開口を具えた放物体の反射面等といった他の形式を有し得るが、ここでは詳細に説明しない。
【００４０】
上記の様々な実施例が、波長変換装置が円板であり駆動装置が波長変換装置を駆動して回転させる具体例を使用するものである。実際のところ、波長変換装置は帯状の移動プレートであり、駆動装置は帯状のプレートを駆動して前後に直線運動させ得る。また、波長変換装置は円筒体とすることができ、駆動装置が円筒体を駆動して回転させる。これらは、周知の技術であり、ここでは詳細に説明しない。
【００４１】
本開示の様々な実施例が少しずつ説明されているが、様々な実施例が、他の実施例とのそれらの差異として説明されている；実施例の共通の態様が互いに参照することによって理解されよう。
【００４２】
本発明の他の実施例が、上記の実施例で説明した構造及び機能を有し得る発光装置を含む投影システムを提供する。本投影システムが、液晶ディスプレイ（ＬＣＤ）投影技術、デジタルライトプロセッサ（ＤＬＰ）技術等といった様々な投影技術を使用する。さらに、上記の発光装置もまた、舞台照明といった照明装置で使用し得る。
【００４３】
さらに、本発明は、概して上記の説明に基づいて、
少なくとも１の波長変換セクションを有する波長変換層を有する波長変換装置であって、波長変換セクションが励起光を受光し変換光に励起光を変換する、波長変換装置と、
波長変換装置を駆動して移動させるための駆動面を有する駆動装置であって、波長変換装置に形成される励起光の光点が所定の経路に沿って波長変換装置に作用する、駆動装置と、
駆動装置及び波長変換装置を同軸に結合するためのアダプタであって、光線が駆動装置に面する側から駆動面の内側において波長変換装置を照射し得る、アダプタと、
を有する発光装置アッセンブリを提供するものであり、駆動面及び波長変換層のそれぞれの軸方向の投影が、少なくとも部分的に重なり合う。
【００４４】
本発明の実施例に係る発光装置アッセンブリによれば、アダプタを使用することによって、駆動装置によって遮られずに、励起光が駆動面の内側において波長変換装置を照射し得る；さらに、駆動装置の駆動面及び波長変換層のそれぞれの軸方向の投影を少なくとも部分的に重ねることによって、波長変換装置の面積を駆動面の面積及び波長変換層の面積の合計よりも小さくでき、励起光が、駆動装置によって遮られずに、駆動面の内側において波長変換層を依然として照射できる。従来技術と比較すると、これらの実施例の波長変換装置は、表面積をより小さくするという効果を有する。
【００４５】
本発明の上記の実施例は、単なる典型例であって、本発明の範囲を限定するものではない。本開示及び本図面に基づく任意の等価な構造及び等価なプロセス及びバリエーション、又は他の関連する技術分野における直接的又は間接的な適用例が、総て本発明の特許保護の範囲内である。
【図１ａ】
2015513762.tif 000003
【図１ｂ】
2015513762.tif 000004
【図２ａ】
2015513762.tif 000005
【図２ｂ】
2015513762.tif 000006
【図３】
2015513762.tif 000007
【図４】
2015513762.tif 000008
【図５】
2015513762.tif 000009
【図６】
2015513762.tif 000010
【図７】
2015513762.tif 000011
【手続補正書】
【提出日】平成26年11月10日(2014.11.10)
【手続補正１】
【補正対象書類名】特許請求の範囲
【補正対象項目名】全文
【補正方法】変更
【補正の内容】
【特許請求の範囲】
【請求項１】
発光装置であって、
励起光を放射するための励起光の光源と、
少なくとも１の波長変換セクションを有する波長変換層を有する波長変換装置であって、前記波長変換セクションが励起光を受光し変換光に励起光を変換する、波長変換装置と、
前記波長変換装置を駆動して移動させるための駆動面を有する駆動装置であって、前記波長変換装置に形成される励起光の光点が所定の経路に沿って前記波長変換装置に作用する、駆動装置と、
前記駆動装置及び前記波長変換装置を同軸に結合するためのアダプタであって、光線が前記駆動装置に面する側から波長変換装置への駆動面の軸方向の投影の内側において前記波長変換装置を照射し得る、アダプタと、
を具えており、
前記駆動面及び前記波長変換層のそれぞれの軸方向の投影が、少なくとも部分的に重なり合い、
励起光が前記波長変換装置への駆動面の軸方向の投影の内側において前記波長変換層を照射することを特徴とする発光装置。
【請求項２】
前記波長変換装置が円板状を有しており、
前記駆動装置が、前記アダプタを介して前記波長変換装置を駆動し、前記円板の中心の周りを回転させることを特徴とする請求項１に記載の発光装置。
【請求項３】
前記アダプタが、前記駆動面よりも小さい端面を具えた円筒状を有する結合セクションを有することを特徴とする請求項１に記載の発光装置。
【請求項４】
前記アダプタが、さらに、前記駆動装置及び前記結合セクションにそれぞれ取り付け固られた２つの端部を有する適合セクションを有しており、
前記結合セクションの前記端面が、前記適合セクションの断面よりも小さいことを特徴とする請求項３に記載の発光装置。
【請求項５】
前記アダプタが、さらに、前記波長変換装置及び前記結合セクションにそれぞれ取り付けられた２つの端部を有する支持セクションを有しており、
前記結合セクションの前記端面が、前記支持セクションの断面よりも小さいことを特徴とする請求項３に記載の発光装置。
【請求項６】
前記アダプタが、正角錐台又は円錐台の形状を有しており、
前記アダプタの上端面及び下端面が、前記波長変換装置及び前記駆動装置にそれぞれ取り付けられており、
前記上端面が、前記駆動面よりも小さいことを特徴とする請求項１に記載の発光装置。
【請求項７】
励起光が、前記駆動装置に面する前記波長変換装置の側から斜角で前記波長変換装置に入射することを特徴とする請求項１に記載の発光装置。
【請求項８】
前記アダプタが、正角錐台又は円錐台の形状を有しており、
前記アダプタの上端面及び下端面が、前記波長変換装置及び前記駆動装置にそれぞれ取り付けられており、
前記上端面が、前記駆動面よりも小さく、
励起光と前記上端面との間の角度が、前記アダプタの側面生成ライン又は側端と前記上端面との間の角度に等しいことを特徴とする請求項７に記載の発光装置。
【請求項９】
さらに、前記波長変換層に入射するよう励起光を案内するための分光装置であって、前記波長変換層からの光の一部を入射励起光の光路から分離して前記波長変換層に向けるよう案内して、前記発光装置の出力光を形成するための分光装置を具えることを特徴とする請求項７に記載の発光装置。
【請求項１０】
さらに、励起光が前記駆動装置に面する前記波長変換装置の側から直角に前記波長変換層に入射するように、励起光を反射させるための反射体を具えることを特徴とする請求項１に記載の発光装置。
【請求項１１】
発光装置アッセンブリであって、
少なくとも１の波長変換セクションを有する波長変換層を有する波長変換装置であって、前記波長変換セクションが励起光を受光し変換光に励起光を変換する、波長変換装置と、
前記波長変換装置を駆動して移動させるための駆動面を有する駆動装置であって、前記波長変換装置に形成される励起光の光点が所定の経路に沿って前記波長変換装置に作用する、駆動装置と、
前記駆動装置及び前記波長変換装置を同軸に結合するためのアダプタであって、光線が前記駆動装置に面する側から前記波長変換装置への駆動面の軸方向の投影の内側において前記波長変換装置を照射し得る、アダプタと、
を具えており、
前記駆動面及び前記波長変換層のそれぞれの軸方向の投影が、少なくとも部分的に重なり合うことを特徴とする発光装置アッセンブリ。
【請求項１２】
前記アダプタが、正角錐台又は円錐台の形状を有しており、
前記アダプタの上端面及び下端面が、前記駆動装置及び前記波長変換装置にそれぞれ取り付けられており、
前記上端面が、前記駆動面よりも小さいことを特徴とする請求項１１に記載の発光装置アッセンブリ。
【請求項１３】
請求項１に記載された発光装置を具えることを特徴とする投影システム。
【請求項１４】
さらに、反射体によって反射した励起光を前記波長変換層に入射するよう案内するための光分離装置であって、前記波長変換層から放射された変換光を入射励起光の光路から分離するよう案内するための光分離装置を具えることを特徴とする請求項１０に記載の発光装置。
【請求項１５】
変換光が前記駆動装置から離れる方向に前記波長変換装置を出ることを特徴とする請求項１に記載の発光装置。
【請求項１６】
変換光が前記駆動装置に向かう方向に前記波長変換装置を出ることを特徴とする請求項１に記載の発光装置。
【手続補正２】
【補正対象書類名】明細書
【補正対象項目名】０００２
【補正方法】変更
【補正の内容】
【０００２】
従来の蛍光環は、透過型及び反射型の色相環を有している。反射型の蛍光環は、蛍光材料を反射性の基板に付けることによって形成される；蛍光材料に照射された励起光が変換光に変換され、反射性の基板によって反射する。このため、蛍光環の出力変換光の方向は、蛍光環に照射する励起光の方向とは逆方向である。換言すれば、出力側及び入力側は、蛍光環の同じ側である。透過型の蛍光環は、透明基板に蛍光材料を付けることによって形成される；蛍光材料に照射される励起光が変換光に変換され、透明基板を通り抜ける。一般に、励起光を通し変換光を反射させるフィルタが、蛍光環の入力側に設けられている。このため、蛍光環の出力変換光の方向は、蛍光環に照射される励起光の方向と同じである。換言すれば、出力側及び入力側は、蛍光環の２つの異なる側である。
【手続補正３】
【補正対象書類名】明細書
【補正対象項目名】０００６
【補正方法】変更
【補正の内容】
【０００６】
本発明の実施例は、発光装置であって、
励起光を放射するための励起光の光源と、
少なくとも１の波長変換セクションを有する波長変換層を有する波長変換装置であって、前記波長変換セクションが励起光を受光し変換光に励起光を変換する、波長変換装置と、
前記波長変換装置を駆動して移動させるための駆動面を有する駆動装置であって、前記波長変換装置に形成される励起光の光点が所定の経路に沿って前記波長変換装置に作用する、駆動装置と、
前記駆動装置及び前記波長変換装置を同軸に結合するためのアダプタであって、光線が前記駆動装置に面する側から前記波長変換装置への前記駆動面の軸方向の投影の内側において前記波長変換装置を照射し得る、アダプタと、
を具えており、
前記駆動面及び前記波長変換層のそれぞれの軸方向の投影が、少なくとも部分的に重なり合い、
励起光が前記波長変換装置への前記駆動面の軸方向の投影の内側において前記波長変換層を照射する、
発光装置を提供する。
【手続補正４】
【補正対象書類名】明細書
【補正対象項目名】０００７
【補正方法】変更
【補正の内容】
【０００７】
本発明の別の実施例は、発光装置アッセンブリであって、
少なくとも１の波長変換セクションを有する波長変換層を有する波長変換装置であって、前記波長変換セクションが励起光を受光し変換光に励起光を変換する、波長変換装置と、
前記波長変換装置を駆動して移動させるための駆動面を有する駆動装置であって、前記波長変換装置に形成される励起光の光点が所定の経路に沿って前記波長変換装置に作用する、駆動装置と、
前記駆動装置及び前記波長変換装置を同軸に結合するためのアダプタであって、光線が前記駆動装置に面する側から前記波長変換装置への前記駆動面の軸方向の投影の内側において前記波長変換装置を照射し得る、アダプタと、
を具えており、
前記駆動面及び前記波長変換層のそれぞれの軸方向の投影が、少なくとも部分的に重なり合う、
発光装置アッセンブリを提供する。
【手続補正５】
【補正対象書類名】明細書
【補正対象項目名】０００９
【補正方法】変更
【補正の内容】
【０００９】
従来技術と比較すると、本発明は、以下の効果を有する：
本発明の実施例に係る発光装置によれば、アダプタを使用することにより、励起光が、駆動装置によって遮られることなく、波長変換装置への駆動面の軸方向の投影の内側において波長変換装置を照射し得る；さらに、駆動装置の駆動面及び波長変換層の軸方向の投影を少なくとも部分的に重ねることによって、波長変換装置の面積が、駆動面の面積及び波長変換層の面積の合計よりも小さくなる場合、励起光が、駆動装置によって遮られることなく波長変換装置への駆動面の軸方向の投影の内側において波長変換層を照射し得る。従来技術と比較すると、本発明の実施例に係る発光装置アッセンブリの波長変換装置が、表面積を小さくできる効果を有しており、比較的薄い厚さを要する製品に発光装置アッセンブリを使用できる。
【手続補正６】
【補正対象書類名】明細書
【補正対象項目名】００１８
【補正方法】変更
【補正の内容】
【００１８】
本実施例では、アダプタ２４０が棒状の結合セクションを有し；結合セクションの両端がそれぞれ駆動装置２３０及び波長変換装置２２０の基板２２１に同軸に取り付けられている。ここでは、接着剤による結合、半田接合等といった様々な方法を使用してこれらを取り付けることができる。結合セクションの端面は、駆動装置の駆動面よりも小さい。好適には、駆動装置の駆動面に対する結合セクションの端面の面積の比が、１／４よりも大きく１／２よりも小さい。結合セクションの端面がモータの駆動面よりも小さいため、駆動装置２３０と波長変換装置２２０との間に光が通過し得る隙間が生じる。このため、光が、駆動装置に面する側から波長変換装置への駆動面の軸方向の投影の内側において波長変換装置２２０を照射し得る。例えば、駆動装置の駆動面が１ｃｍの半径を有する場合、アダプタにより、光が駆動装置に面する側から点Ｏを中心とする半径１ｃｍの円形領域の内側において波長変換装置２２０を照射し得る。
【手続補正７】
【補正対象書類名】明細書
【補正対象項目名】００１９
【補正方法】変更
【補正の内容】
【００１９】
本実施例では、アダプタを使用することによって、励起光Ａが、駆動装置によって遮られずに駆動面の内側において波長変換装置を照射し得る。さらに、駆動装置２３０の駆動面及び波長変換層２２２のそれぞれの軸方向投影を少なくとも部分的に重ねることによって、波長変換装置の面積を駆動面の面積と波長変換層の面積との合計よりも小さくすることができ、励起光Ａが、駆動装置によって遮られずに波長変換装置への駆動面の軸方向の投影の内側において波長変換層を依然として照射し得る。従来技術と比較すると、本実施例の波長変換装置は、表面積が小さいという効果を有する。
【手続補正８】
【補正対象書類名】明細書
【補正対象項目名】００２１
【補正方法】変更
【補正の内容】
【００２１】
本実施例では、励起光の光源２１０からの青色光Ａが、波長変換装置の駆動装置に面する側から波長変換装置への駆動面の軸方向の投影の内側において斜角で基板２２１に入射する。そして、励起光が基板２２１から波長変換層２２２に入る。波長変換層２２２は青色光を受光し、赤色、緑色及び青色光のカラー光シーケンスＢを順次放射する。波長変換層の光出力方向は光入力方向と同じであり、波長変換装置２２０は透過型である。好適には、基板２２１が、波長変換装置２２０の光の出力比を増大させるために、励起光を透過し変換光を反射する光学的特性を有する。波長変換装置が透過型の場合、励起光の光源２１０からの青色光Ａは、駆動装置とは反対側からも波長変換装置への駆動面の軸方向の投影の内側において波長変換装置に入射でき；カラーの光シーケンスＢが駆動装置に面する波長変換装置の表面から出力し得ることが理解できよう。当然ながら、波長変換装置を反射型とすることができ、以下の実施例で説明することとし、ここでは詳細に説明しない。
【手続補正９】
【補正対象書類名】明細書
【補正対象項目名】００２４
【補正方法】変更
【補正の内容】
【００２４】
本実施例と図２ａの実施例との間の差異は、アダプタ３４０が円錐台の形状を有しており、その上端３４０ａが波長変換装置３２０に取り付けられ、その下端３４０ｂが駆動装置３３０に取り付けられていることである。上端３４０ａは、駆動装置の駆動面よりも小さく、光が、波長変換装置への駆動面の軸方向の投影の内側における波長変換装置３２０の駆動装置に面する表面を照射し得る。
【手続補正１０】
【補正対象書類名】明細書
【補正対象項目名】００２５
【補正方法】変更
【補正の内容】
【００２５】
好適には、アダプタの下端３４０ｂが、駆動装置の駆動面と完全に重なり合い、アダプタと駆動装置との間のより確実な結合を実現する。好適には、励起光の光源３１０からの青色光が、波長変換装置の駆動装置に面する側から波長変換装置への駆動面の軸方向の投影の内側において斜角で波長変換装置３２０に入射する。励起光Ａと駆動面との間の角度が、アダプタ３４０の側面生成ラインと駆動面との間の角度に等しい。これにより、波長変換装置ができる限り小さくなる一方、波長変換装置への励起光の入射角を確実に最小限にし得る。
【手続補正１１】
【補正対象書類名】明細書
【補正対象項目名】００２７
【補正方法】変更
【補正の内容】
【００２７】
当然ながら他の好適な実施例では、アダプタ３４０を正角錐台に代えることができる。同様に、好適には、角錐台の形状のアダプタの上端及び下端が、それぞれ波長変換装置及び駆動装置に取り付けられる。好適には、励起光の光源３１０からの青色光が、波長変換装置の駆動装置に面する側から波長変換装置への駆動面の軸方向の投影の内側において斜角で基板２２１に入射し、励起光Ａと駆動面との間の角度が、アダプタ３４０の側端とその表面との間の角度に等しい。
【手続補正１２】
【補正対象書類名】明細書
【補正対象項目名】００２９
【補正方法】変更
【補正の内容】
【００２９】
本実施例と図２ａの実施例との間の差異は、発光装置４００が、励起光の光源４１０からの励起光を反射するための反射体４５０を追加的に有しており、励起光が波長変換装置４２０の駆動装置に面する側から直角的に波長変換層４２２に入射することである。明らかに、反射体は、駆動装置、アダプタ及び波長変換装置によって囲まれる空間に配置されるべきものである。反射体４５０は、励起光を反射させ他の光等を透過する反射鏡、プリズム、フィルタとし得る。励起光の光路を変える任意の光学素子を使用し得るが、ここでは詳細に説明しない。
【手続補正１３】
【補正対象書類名】明細書
【補正対象項目名】００３０
【補正方法】変更
【補正の内容】
【００３０】
図２ａの実施例と比較すると、本実施例では、反射体を用いて励起光の光源４１０によって生成される光入力の光路を変えることによって、励起光の光源４１０を、駆動装置の駆動面の領域にできる限り接近させて配置させることができ、波長変換装置への駆動装置の駆動面の軸方向の投影の内側に配置させることもでき、発光装置４００がよりコンパクトな構造を有する。
【手続補正１４】
【補正対象書類名】明細書
【補正対象項目名】００３５
【補正方法】変更
【補正の内容】
【００３５】
本実施例と図５の実施例との間の差異は、
（１）励起光の光源６１０によって放射される励起光が、紫外線（ＵＶ）であることである。
（２）波長変換装置６２０が、反射型であること；具体的には、波長変換層６２２が、駆動装置に面する基板６２１の表面に配置されていること、基板６２１が反射体であることである。さらに、波長変換層６２２の第１、第２及び第３の基板が、それぞれ、赤色光にＵＶ光を変換するための赤色用の波長変換材料、緑色光にＵＶ光を変換するための緑色用の波長変換材料、青色光にＵＶ光を変換するための青色用の波長変換材料を担持する。波長変換装置６２０が、ＵＶ光の励起下で、残りの非吸収ＵＶ光とともに、赤色、緑色及び青色光を放射することが見られる。
（３）発光装置６００が、さらに、波長変換層に入射する反射体によって反射した励起光Ａを案内するための、且つ、波長変換層６２２から放射される変換光を案内して、波長変換層への入射励起光の光路から分離し、これにより、発光装置の出力光を形成するための光分離装置６６０を有することである。具体的には、光分離装置６６０が、ＵＶ光を透過し赤色、緑色及び青色光を反射するフィルタである。
【手続補正１５】
【補正対象書類名】明細書
【補正対象項目名】００３９
【補正方法】変更
【補正の内容】
【００３９】
本実施例と図６の実施例との間の差異は、
（１）励起光の光源によって放射される励起光が、青色光であることである。
（２）波長変換層７２２の第１、第２及び第３のサブセクションが、それぞれ、赤色光に青色光を変換するための赤色の波長変換材料、緑色光に青色光を変換するための緑色の波長変換材料、及び散乱材料を担持することである。
（３）光分離装置７６０は、光透過開口及び開口の周りに反射面を有するアーチ形の反射体であることである。青色光Ａは開口を通して波長変換層に入射する。波長変換層によって放射される光の大部分は、アーチ形の反射体の反射面によって反射し、発光装置７００の出力光となる；光のわずかな部分が、開口から漏れ出る。好適には、アーチ形の反射体７６０が楕円体又はその一部の形状を有し、波長変換層が楕円体の１つの焦点位置に位置しており、波長変換層の出力光の大部分が、アーチ形の反射体の反射面によって他方の焦点に向けて反射する。又は、アーチ形の反射体７６０が半球又はその一部の形状を有し、波長変換層が、球の中心の近くの点に位置しており、波長変換層の出力光の大部分が、アーチ形の反射体の反射面によって、球の中心に対して第１の点とは対称的な点に向けて反射し、そこで集光される。光分離装置は、開口を具えた放物体の反射面等といった他の形式を有し得るが、ここでは詳細に説明しない。
【手続補正１６】
【補正対象書類名】明細書
【補正対象項目名】００４３
【補正方法】変更
【補正の内容】
【００４３】
さらに、本発明は、概して上記の説明に基づいて、
少なくとも１の波長変換セクションを有する波長変換層を有する波長変換装置であって、波長変換セクションが励起光を受光し変換光に励起光を変換する、波長変換装置と、
波長変換装置を駆動して移動させるための駆動面を有する駆動装置であって、波長変換装置に形成される励起光の光点が所定の経路に沿って波長変換装置に作用する、駆動装置と、
駆動装置及び波長変換装置を同軸に結合するためのアダプタであって、光線が駆動装置に面する側から波長変換装置への駆動面の軸方向の投影の内側に波長変換装置を照射し得る、アダプタと、
を有する発光装置アッセンブリを提供するものであり、駆動面及び波長変換層のそれぞれの軸方向の投影が、少なくとも部分的に重なり合う。
【手続補正１７】
【補正対象書類名】明細書
【補正対象項目名】００４４
【補正方法】変更
【補正の内容】
【００４４】
本発明の実施例に係る発光装置アッセンブリによれば、アダプタを使用することによって、駆動装置によって遮られずに、励起光が波長変換装置への駆動面の軸方向の投影の内側において波長変換装置を照射し得る；さらに、駆動装置の駆動面及び波長変換層のそれぞれの軸方向の投影を少なくとも部分的に重ねることによって、波長変換装置の面積を駆動面の面積及び波長変換層の面積の合計よりも小さくでき、励起光が、駆動装置によって遮られずに、波長変換装置への駆動面の軸方向の投影の内側において波長変換層を依然として照射できる。従来技術と比較すると、これらの実施例の波長変換装置は、表面積をより小さくするという効果を有する。
【国際調査報告】
2015513762.tif 000012
2015513762.tif 000013
2015513762.tif 000014
2015513762.tif 000015